(57)【要約】【課題】カートを前傾にして手で引いたときに、手にかかる負荷を少なくすることができ、患者の移動や外出を積極的に支援することができる酸素ボンベ運搬用カートを提供する。【解決手段】両側に車輪１２を回転自在に設けた車軸１３の上に、酸素ボンベＡを起立状態で載置する台座１４と、この台座１４の上部に向けて起立する牽引用の把手１５を設け、前記台座１４上に載置した酸素ボンベＡを、前記車軸１３の軸心に対してこの酸素ボンベＡの上下方向の中心線の延長が交差する配置で固定できるようにする。【選択図】図１
2008087624.tif 000002
【特許請求の範囲】
【請求項１】
車軸の両端に車輪を回転可能に取付け、前記車軸に、酸素ボンベを起立状態で載置する載置台と、この載置部の両側に位置する牽引用の把手とを設け、前記載置台上に酸素ボンベを、この酸素ボンベの上下方向の中心線が車軸の軸心と交差する配置で取付けるようにした酸素ボンベ運搬用カート。
【請求項２】
上記把手が、両側縦柱の上端に握り部を有する下向きコ字状に形成され、両側縦柱がその間に酸素ボンベが納まる間隔に形成され、この両側縦柱間に、載置台上に載置した酸素ボンベを、この酸素ボンベの上下方向の中心線が車軸の軸心と交差する配置で把手に固定する固定手段を設けたことを特徴とする請求項１に記載の酸素ボンベ運搬用カート。
【発明の詳細な説明】
【技術分野】
【０００１】
この発明は、酸素を常時吸入する必要のある患者が、酸素ボンベを携帯するために用いる酸素ボンベ運搬用カート、更に詳しくは、カート上の総重量の重心を常に車軸上中央部に集約することにより、利用者の持ち手の荷重負担を大幅に減少させ、体力の無駄な消費を抑えるようにした酸素ボンベ運搬用カートに関する。
【背景技術】
【０００２】
肺機能の疾患等により、通常の空気呼吸では必要量の酸素を摂取できず、常時酸素発生手段から酸素を吸入する必要がある患者の在宅医療において、患者の外出を可能にするため、携帯用の酸素ボンベが開発され、更に、患者がこの酸素ボンベを搬送することができるようにするための酸素ボンベ運搬用カートが提案されている。
【０００３】
従来の酸素ボンベ運搬用カート１は、例えば、図５に示すように、酸素ボンベＡを起立状態で載置する台座２の一方端部寄りの位置に、両側に車軸３で枢止された一対の車輪４と、この台座２の一方端部寄りの位置から上部に起立する牽引用の把手５とを設け、前記台座２上に載置した酸素ボンベＡを台座２上の支持部材６とこの支持部材６に取付けたベルト式の固定手段７によって固定するようにした構造になっている（例えば、特許文献１参照）。
【０００４】
上記のような酸素ボンベ運搬用カート１は、酸素ボンベＡを台座２上に載置した状態で停止させておくとき、図５（ａ）のように、台座２の下部先端に設けた接地脚８を接地させ、この接地脚８と車輪４で台座２を水平にすることで把手５と酸素ボンベＡを直立させた状態にする。
【０００５】
また、酸素ボンベＡを運搬するときは、図５（ｂ）のように、手で把手５の上端握り部を握り、車軸３を支点に把手５を前方に傾斜させた状態を保持し、全体を引っ張って車輪４で移動するものである。
【特許文献１】特開２００１−２４７０３９号公報
【発明の開示】
【発明が解決しようとする課題】
【０００６】
ところで、上記のような従来の酸素ボンベ運搬用カート１は、台座２の一方端部寄りの片寄った位置に１２ｃｍから２０ｃｍの外径の車輪４と把手５が設けられ、台座２の中央に酸素ボンベＡを載置する構造になっているので、車輪４の軸心に対して酸素ボンベＡは後方に離れた位置となり、図５（ｂ）のように、酸素ボンベ運搬用カート１を前傾にして手で引いたときに、酸素ボンベＡの重心が高く後方にあるため、酸素ボンベＡの重量が全て把手５を握る手にかかることになり、ちなみに、容量が３００ｌの酸素ボンベの場合、ボンベ袋等を含めて約５Ｋｇの重量があり、このような重量の負荷は患者の体力を消耗するだけでなく、疾患部分である胸に負担をかけることになり、このため、患者の移動や外出を困難にする要因になっている。
【０００７】
そこで、この発明の課題は、上記した問題点を解決するため、カート上の総重量の重心を常に車軸上中央部に集約することにより、酸素ボンベの重量をカートで効率よく支持でき、カートを前傾にして手で引いたときに、持ち手にかかる荷重負担を少なくして、体力の無駄な消費を抑え、患者の移動や外出を積極的に支援することができる酸素ボンベ運搬用カートを提供することにある。
【課題を解決するための手段】
【０００８】
上記の課題を解決するため、この発明は、車軸の両端に車輪を回転可能に取付け、前記車軸に、酸素ボンベを起立状態で載置する載置台と、この載置部の両側に位置する牽引用の把手とを設け、前記載置台上に酸素ボンベを、この酸素ボンベの上下方向の中心線が車軸の軸心と交差する配置で取付けるようにした構成を採用したものである。
【０００９】
上記把手が、両側縦柱の上端に握り部を有する下向きコ字状に形成され、両側縦柱がその間に酸素ボンベが納まる間隔に形成され、この両側縦柱間に、載置台上に載置した酸素ボンベを、この酸素ボンベの上下方向の中心線が車軸の軸心と交差する配置で把手に固定する固定手段を設けた構造とすることができる。
【００１０】
ここで、上記把手は、パイ部を用いた両側縦柱が伸縮自在で長さの調整が可能となり、車輪は例えば従来よりも小径の最大外径６ｃｍ以下とし、車輪の外径を小さくするほどカートの重心が下になり、利用者の持ち手の荷重負担を大幅に減少させることができる。
【００１１】
また、上記載置台は車軸の上面に固定化され、車軸と、把手の両側縦柱間に固定した外枠材と、車軸の前後で車軸と平行する支持桟とで形成され、酸素ボンベを車軸上で直接支持するようになっていると共に、この載置台のカート引張り移動時の後方位置に接地部が設けられ、酸素ボンベを載置した状態で停止させておくとき、この接地部と車輪で載置台を水平にすることで把手と酸素ボンベが直立状態になるようにしている。
【００１２】
上記把手に設けた固定手段は、両側縦柱間に設けた受けベルト又は半円の受け桟と、一対の着脱ベルトの組み合わせによって形成され、載置台上に載置した酸素ボンベを受けベルト又は半円の受け桟と着脱ベルトで把手に固定すれば、両側車軸に対してこの酸素ボンベの上下方向の中心軸の延長が交差することになる。
【発明の効果】
【００１３】
この発明によると、酸素ボンベ運搬用カートにおいて、載置台上に載置した酸素ボンベを、両側車軸の軸心に対してこの酸素ボンベの上下方向の中心線の延長が交差する配置で取付けるようにしたので、カート上に載置した酸素ボンベの総重量の重心を常に車軸上に集約してこれを車輪で支持することができ、カートを前傾にして手で引いたときに、酸素ボンベの重量が車軸で支持されることにより、把手にかかる酸素ボンベの重量を軽減させ、これにより、カートを引く患者の持ち手や胸への荷重負担を大幅に減少させることで体力の無駄な消耗を抑え、患者の移動や外出を容易にすることができ、患者の人命救助に大いに貢献できる。
【００１４】
また、車軸両端の車輪間隔をできる限り狭くすると、それに従って全体の重量は下方に集中することになり、把手の負荷重量を極度に軽減することになる。
【発明を実施するための最良の形態】
【００１５】
以下、この発明の実施の形態を図示例に基づいて説明する。
【００１６】
図示のように、運搬用カート１１は、両端に車輪１２を回転自在に取付けた車軸１３と、この車軸１３上に設けられ、酸素ボンベＡを起立状態で載置するための載置台となる台座１４と、前記台座１４の両側上部に起立するよう車軸１３に取付けた牽引用の把手１５とを備え、前記把手１５に酸素ボンベＡの固定手段１６が設けられ、前記台座１４上に載置した酸素ボンベＡを、前記車軸１３の軸心に対してこの酸素ボンベＡの上下方向の中心線の延長が交差する配置で固定するようになっている。
【００１７】
上記車軸１３は、酸素ボンベＡの直径よりも少し長いパイプ軸１３ａと、このパイプ軸１３ａの両端から突出する車輪取り付け軸１３ｂとで形成され、両車輪取り付け軸１３ｂに車輪１２を回転自在に取付けることにより、車軸１３と車輪１２は相対的に回転可能となる。
【００１８】
上記台座１４は車軸１３の上面に固定化され、この車軸１３と、金属線材を用いて酸素ボンベＡの下部が嵌る内径のリングになり、把手１５の両側縦柱１５ａ間に固定した外枠材１４ａと、車軸１３の前後で車軸１３と平行するよう外枠材１４ａ内に架設した支持桟１４ｂとで形成され、酸素ボンベＡを車軸１３上で直接支持するようになっていると共に、前記外枠材１４ａのカート引張り移動時の後方位置に接地部１７が設けられ、酸素ボンベＡを載置した状態で停止させておくとき、この接地部１７と車輪１２で台座１４を水平にすることで把手１５と酸素ボンベＡが直立状態になるようにしている。
【００１９】
上記把手１５は、パイプを用いた両側縦柱１５ａの上端に握り部１８を有する下向きコ字状に形成され、両側縦柱１５ａがその間に酸素ボンベＡが納まる間隔になっていると共に、両側縦柱１５ａの下端が車軸１３のパイプ軸１３ａに固定され、車輪１２に対して前後に角度可変になっている。
【００２０】
この把手１５は、図示の場合、パイプを用いた両側縦柱１５ａと、パイプを用いて下向きコ字状に折り曲げ、上部水平部分が握り部１８となる引き手部材１９の組み合わせによって形成され、上下長さを患者の身長に合わせて調整することができるようにしている。
【００２１】
上記把手１５は、両側縦柱１５ａの軸心が車軸１３の軸心と交差する取付けとなり、把手１５に設けた固定手段１６は、図示の場合、縦柱１５ａの上下二箇所に設けられ、下部の固定手段１６は、布袋に納まる酸素ボンベＡが納まる内径の金属リング１６ａを両側縦柱１５ａに固定することによって形成されている。
【００２２】
また、上部の固定手段１６は、両側縦柱１５ａ間の上下途中の位置に設けた半円状の受け桟１６ｂと、一対の着脱式ベルト１６ｃの組み合わせによって形成され、台座１４上に載置した酸素ボンベＡを固定手段１６で把手１５に固定すれば、車軸１３の軸心に対してこの酸素ボンベＡの上下方向の中心線の延長が交差するようになっている。
【００２３】
また、両側の車輪１２は最大外径が６ｃｍ以下とし、車輪１２の外径を小さくするほど運搬用カート１１自体の重心が下になり、これによって、車輪１２の直進方向への転動性がよくなり、また、運搬用カート１１自体の重心を下げるようにすることにより酸素ボンベＡの重心を低くし、運搬用カート１１を引っ張ったときの負荷を少なくするようになっていると共に、運搬用カート１１の幅は、移動性の点からできるだけ狭く設定するのが好ましく、車軸１３の両端に把手１５の両側縦柱１５ａを固定し、車軸１３の両端で両側縦柱１５ａの外側に接近して車輪１２を取付けるようにすることで、例えば、容量が３００ｌの酸素ボンベＡを装着する場合、両側車輪１２間の最大幅を１３０ｍｍ程度に設定されている。
【００２４】
この発明の運搬用カート１１は、上記のような構成であり、台座１４の上に布袋に収めた酸素ボンベＡを両側縦柱１５ａの間に納まるように載置し、固定手段１６で酸素ボンベＡを両側縦柱１５ａに固定した状態で、運搬用カート１１を停止させておくときは、図２（ａ）と（ｂ）のように、台座１４の下部先端に設けた接地部１７を接地させ、この接地部１７と車輪１２で台座１４を水平にすることで把手１５と酸素ボンベＡを直立させる。
【００２５】
直立する酸素ボンベＡは、車軸１３の軸心に対してこの酸素ボンベＡの上下方向の中心線の延長が交差する配置になる。
【００２６】
また、酸素ボンベＡを運搬するときは、図４のように、手で把手１５の上端握り部１８を握り、車軸１３を支点に把手１５を前方に倒し、運搬用カート１１全体を前方に傾斜させた状態を保持し、全体を引っ張って車輪１２で移動するものである。
【００２７】
運搬用カート１１を前傾させると、把手１５と台座１４は停止する車輪１２に対して、車軸１３の軸心を中心に回動し、このとき、台座１４上に載置した酸素ボンベＡは、車軸１３の軸心に対して上下方向の中心線延長が交差する配置で固定されているので、運搬用カート１１を前傾にして手で引いたときに、酸素ボンベＡの重量が図４に矢印ａで示すように車軸１３へ垂直に作用して車輪１２で支持され、これにより、把手１５を握る手にかかる酸素ボンベＡの重量を軽減させることができ、これにより、運搬用カート１１を引く患者の手や胸への負担を少なくすることで体力消耗を抑え、患者の移動や外出を容易にすることができる。
【図面の簡単な説明】
【００２８】
【図１】この発明の酸素ボンベ運搬用カートと酸素ボンベの分解斜視図
【図２】（ａ）は酸素ボンベ運搬用カートに酸素ボンベを固定して停止させた状態の正面図、（ｂ）は同側面図
【図３】（ａ）は酸素ボンベ運搬用カートの酸素ボンベ支持台の構造を示す拡大した横断平面図、（ｂ）は同上の正面図、（ｃ）は車軸の拡大した断面図
【図４】この発明の酸素ボンベ運搬用カートに酸素ボンベを固定して引っ張った状態を示す側面図
【図５】（ａ）は従来の酸素ボンベ運搬用カートに酸素ボンベを固定して停止させた状態の側面図、（ｂ）は同上の酸素ボンベ運搬用カートを引っ張った状態を示す側面図
【符号の説明】
【００２９】
１１          運搬用カート
１２          車輪
１３          車軸
１４          台座
１５          把手
１６          固定手段
１７          接地部
１８          握り部
１９          引き手部材
【図１】
2008087624.tif 000003
【図２】
2008087624.tif 000004
【図３】
2008087624.tif 000005
【図４】
2008087624.tif 000006
【図５】
2008087624.tif 000007
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
車軸の両端に車輪を回転可能に取付け、前記車軸に、酸素ボンベを起立状態で載置する載置台と、この載置台の両側に位置する牽引用の把手とを設けた酸素を常時吸入する必要のある患者専用の酸素ボンベ運搬用カートにおいて、前記車軸が載置台の下にあり、この車輪は最大外径６ｃｍ以下とし、前記載置台上に酸素ボンベを、この酸素ボンベの上下方向の中心線が車軸の軸心と交差する配置で取付けるようにしたことを特徴とする酸素を常時吸入する必要のある患者専用の酸素ボンベ運搬用カート。
【請求項２】
上記把手が、両側縦柱の上端に握り部を有する下向きコ字状に形成され、両側縦柱がその間に酸素ボンベが納まる間隔に形成され、この両側縦柱間に、載置台上に載置した酸素ボンベを、この酸素ボンベの上下方向の中心線が車軸の軸心と交差する配置で把手に固定する固定手段を設けたことを特徴とする請求項１に記載の酸素を常時吸入する必要のある患者専用の酸素ボンベ運搬用カート。
【手続補正３】
【補正対象書類名】明細書
【補正対象項目名】０００８
【補正方法】変更
【補正の内容】
【０００８】
上記の課題を解決するため、この発明は、車軸の両端に車輪を回転可能に取付け、前記車軸に、酸素ボンベを起立状態で載置する載置台と、この載置台の両側に位置する牽引用の把手とを設けた酸素ボンベ運搬用カートにおいて、前記車軸が載置台の下にあり、この車輪は最大外径６ｃｍ以下とし、前記載置台上に酸素ボンベを、この酸素ボンベの上下方向の中心線が車軸の軸心と交差する配置で取付けるようにした構成を採用したものである。
【手続補正４】
【補正対象書類名】明細書
【補正対象項目名】００１０
【補正方法】変更
【補正の内容】
【００１０】
ここで、上記把手は、パイプを用いた両側縦柱が伸縮自在で長さの調整が可能となり、車輪は従来よりも小径の最大外径６ｃｍ以下とし、車輪の外径を小さくするほどカートの重心が下になり、利用者の持ち手の荷重負担を大幅に減少させることができる。
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
車軸の両端に車輪を回転可能に取付け、前記車軸に、酸素ボンベを起立状態で載置するため車軸が下にある配置とした載置台と、この載置台の両側に位置する牽引用の把手とを設けた酸素を常時吸入する必要のある患者専用の携帯酸素ボンベ運搬用カートにおいて、前記車軸に取付けた車輪は最大外径６ｃｍ以下とし、前記把手が、両側縦柱の上端に握り部を有する下向きコ字状で、両側縦柱がその間に酸素ボンベが納まる間隔となり、前記載置台上に載置した酸素ボンベを、この酸素ボンベの上下方向の中心線が車軸の軸心と交差する配置で載置することができるように形成され、この両側縦柱間に、載置台上に載置した酸素ボンベを、この酸素ボンベの上下方向の中心線が車軸の軸心と交差する配置で把手に固定する固定手段を設けた酸素を常時吸入する必要のある患者専用の携帯酸素ボンベ運搬用カート。
【手続補正２】
【補正対象書類名】明細書
【補正対象項目名】０００８
【補正方法】変更
【補正の内容】
【０００８】
上記の課題を解決するため、この発明は、車軸の両端に車輪を回転可能に取付け、前記車軸に、酸素ボンベを起立状態で載置するため車軸が下にある配置とした載置台と、この載置台の両側に位置する牽引用の把手とを設けた酸素を常時吸入する必要のある患者の歩行時専用の携帯酸素ボンベ運搬用カートにおいて、前記車軸に取付けた車輪は最大外径６ｃｍ以下とし、前記把手が、両側縦柱の上端に握り部を有する下向きコ字状で、両側縦柱がその間に酸素ボンベが納まる間隔となり、前記載置台上に載置した酸素ボンベを、この酸素ボンベの上下方向の中心線が車軸の軸心と交差する配置で載置することができるように形成され、この両側縦柱間に、載置台上に載置した酸素ボンベを、この酸素ボンベの上下方向の中心線が車軸の軸心と交差する配置で把手に固定する固定手段を設けた構成を採用したものである。